(57)【要約】      （修正有）【課題】食器皿に盛ったカレーライスや焼き飯等の飲食物を食器皿から残すことなく食べきれるようにした食器皿を提供する。【解決手段】底面１ａが浅い浅底面部１で、周縁部２の内周面２ａが浅底面部１の底面１ａから湾曲面状に盛り上がった皿本体３からなる食器皿において、皿本体３の周縁部２の上端縁２ｂに周縁部２に対面する掬い部片４を設け、該掬い部片４の掬い面４ａは周縁部２の内周面２ａに連続して形成される。【選択図】図２
0003212408.tif 000002
【実用新案登録請求の範囲】
【請求項１】
底面が浅い浅底面部で、周縁部の内周面が浅底面部の底面から湾曲面状に盛り上がった皿本体からなる食器皿において、皿本体の周縁部の上端縁に周縁部に対面する掬い部片を設け、該掬い部片の掬い面は前記周縁部の内周面に連続して形成されてなる食器皿。
【請求項２】
前記掬い部片は、軟質の合成樹脂フイルムからなり、該フイルムは皿本体の周縁部の外周面に密着して取り付けられてなる請求項１に記載の食器皿。
【請求項３】
前記掬い部片は、皿本体の周縁部の上端縁に、その基端部が一体形成された突片からなる請求項１に記載の食器皿。
【請求項４】
前記突片の基端部の内周面は上下に円弧状に形成されてなる請求項３に記載の食器皿。
【請求項５】
前記掬い部片は、皿本体とは別体の突片からなり、該別体の突片は取付手段によって皿本体に取り付けられてなる請求項１に記載の食器皿。
【請求項６】
前記別体の突片の基端部が、前記周縁部の上端縁の上部側で湾曲して形成されることによって該湾曲基端部の内周面は上下に円弧状に形成されてなる請求項５に記載の食器皿。
【請求項７】
前記取付手段は粘着層からなり、該粘着層によって前記別体の突片は皿本体に取り付けられるようになっている請求項５又は６に記載の食器皿。
【請求項８】
前記取付手段は、前記別体の突片の基端部に連結部を介して一体形成される挟持片からなり、該挟持片が皿本体とこれが載置されるテーブルとの間に挟持されることによって、前記別体の突片が皿本体に取り付けられるようになっている請求項５又は６に記載の食器皿。
【請求項９】
前記連結部の上下長さは皿本体の上下幅に合わせて形成されてなる請求項８に記載の食器皿。
【請求項１０】
前記別体の突片は取付手段によって取り外し可能に取り付けられる請求項５〜９の何れかに記載の食器皿。
【考案の詳細な説明】
【技術分野】
【０００１】
本考案は、食器皿に盛ったカレーライスや焼き飯等の飲食物を食器皿から残すことなく食べきれるようにした食器皿に関する。
【背景技術】
【０００２】
カレーライスや焼き飯等の飲食物が底面の浅い浅底面部の食器皿に盛りつけられいる場合に、皿に盛られた飲食物の量が多いときには、スプーンで容易に飲食物を掬って食べることができるが、飲食物の量が少なくなるにしたがって、スプーンで飲食物を掬うことが難しくなる。すなわち、底面の浅い浅底面部の食器皿は、その浅底面部が一般に平らになっているのに対し、スプーンはその外周面が丸みを帯び、スプーンの掬い面が窪んで形成されており、スプーンで飲食物を掬おうとしても、量の少なくなった飲食物はスプーンの丸みを帯びた外周面に沿って押し出されて、スプーンの窪んだ掬い面に飲食物を載せることが困難になることは我々の日常よく経験するところである。特に、飲食店等の外食店では、残飯の処理に余分な仕事が増えて残飯処理費用がかなり高くつくといった難点があった。
【考案の概要】
【考案が解決しようとする課題】
【０００３】
本考案は、上記実情に鑑み、カレーライスや焼き飯等の飲食物を最後まで食べきることが可能な食器皿を提案することを課題とする。
【課題を解決するための手段】
【０００４】
上記課題を解決するための手段を、後述する実施形態の参照符号を付して説明すると、請求項１に係る食器皿は、底面１ａが浅い浅底面部１で、周縁部２の内周面２ａが浅底面部１の底面１ａから湾曲面状に盛り上がった皿本体３からなる食器皿において、皿本体３の周縁部２の上端縁２ｂに周縁部２に対面する掬い部片４を設け、該掬い部片４の掬い面４ａは前記周縁部２の内周面２ａに連続して形成されてなる構成からなる。
【０００５】
請求項２に係る食器皿は、図３に示すように、前記掬い部片４は、軟質の合成樹脂フイルム４Ａからなり、該フイルム４Ａは皿本体３の周縁部２の外周面２ｃに密着して取り付けられてなる請求項１に記載の構成からなる。
【０００６】
請求項３に係る食器皿は、図５に示すように、前記掬い部片４は、皿本体３の周縁部２の上端縁２ｂに、その基端部４Ｂ１が一体形成された突片４Ｂからなる請求項１に記載の構成からなる。
【０００７】
請求項４に係る食器皿は、前記突片４Ｂの基端部４Ｂ１の内周面４Ｂ２は上下に円弧状に形成されてなる請求項３に記載の構成からなる。
【０００８】
請求項５に係る食器皿は、図７〜図１０に示すように、前記掬い部片４は、皿本体３とは別体の突片４Ｃからなり、該別体の突片４Ｃは取付手段５によって皿本体３に取り付けられる請求項１に記載の構成からなる。
【０００９】
請求項６に係る食器皿は、前記別体の突片４Ｃの基端部４Ｃ１が、図７の（Ｃ）、図９の（Ｃ）に示すように、前記周縁部２の上端縁２ｂの上部側で湾曲して形成されることによって該湾曲基端部４Ｃ１の内周面４Ｃ２は上下に円弧状に形成されてなる請求項５に記載の構成からなる。
【００１０】
請求項７に係る食器皿は、図７に示すように、前記取付手段５は粘着層５Ａからなり、該粘着層５Ａによって前記別体の突片４Ｃは皿本体３に取り付けられるようになっている請求項５又は６に記載の構成からなる。
【００１１】
請求項８に係る食器皿は、図９、図１０に示すように、前記取付手段５は、前記別体の突片４Ｃの基端部４Ｃ１に連結部５Ｂ１を介して一体形成される挟持片５Ｂからなり、該挟持片５Ｂが皿本体３とこれが載置されるテーブルＴとの間に挟持されることによって、前記別体の突片４Ｃが皿本体３に取り付けられるようになっている請求項５又は６に記載の構成からなる。
【００１２】
請求項９に係る食器皿は、図１０に示すように、前記連結部５Ｂ１の上下長さは皿本体３の上下幅に合わせて形成されてなる請求項８に記載の構成からなる。
【００１３】
請求項１０に係る食器皿は、別体の突片４Ｃは取付手段５によって使い捨て可能に取り付けられる請求項５〜９の何れかに記載の構成からなる。
【考案の効果】
【００１４】
請求項１に係る食器皿によれば、底面１ａが浅い浅底面部１で、周縁部２の内周面２ａが浅底面部１の底面１ａから湾曲面状に盛り上がった皿本体３からなる食器皿において、皿本体３の周縁部２の上端縁２ｂに周縁部２に対面する掬い部片４を設け、該掬い部片４の掬い面４ａは前記周縁部２の内周面２ａに連続して形成されてなるため、スプーンの丸みを帯びた外周面に押されて、皿本体３の浅底面部１の底面１ａ上の飲食物は、該浅底面部１の底面１ａに湾曲面状に盛り上がって連続する周縁部２の内周面２ａと掬い部片４の掬い面４ａとのコーナー部４ｂに集められ、該コーナー部４ｂに集められた飲食物Ｃが更に押し込まれることによって、コーナー部４ｂに連続する掬い部片４の掬い面４ａに集められ、この掬い面４ａに集められた飲食物Ｃは、これに近接したスプーンＳの縁に掻き取られて、スプーンＳの中央部の窪んだ掬い凹面Ｓａに掬い取られ、皿本体３上の飲食物は残り余すことなくスプーンに掬い取られて皿本体３上の飲食物を食べきることができる。
【００１５】
請求項２に係る食器皿によれば、前記掬い部片4は、軟質の合成樹脂フイルム４Ａからなり、該フイルム４Ａは皿本体３の周縁部２の外周面２ｃに密着して取り付けられてなる構成からなるため、軟質の合成樹脂フイルム４Ａをその密着性を利用して、皿本体３の周縁部２の外周面２ｃに容易に密着状に取り付けることができ、これによって該合成樹脂フイルム４Ａが皿本体３の周縁部２の上端縁２ｂに皿本体３の周縁部２にナイフ状に緊張状態に対面して取り付けられて、飲食物Ｃに対する良好な掬い部片４に形成することができる。この軟質の合成樹脂フイルム４Ａは、図３の（ａ）に示すように軟質の薄い、例えば厚さが数十μｍの縦横の幅が５〜１０ｃｍ程度の食品用ラップフィルム片からなり、このフィルム片４Ａは、図３の（ｂ）に示すように皿本体３の周縁部２の上端縁２ｂからナイフ状に張り出すように形成される掬い部４Ａ１と該掬い部４Ａ１を皿本体３の周縁部２の上端縁２ｂから外周面２ｃに沿って緊張状態に密着するようにして取り付けられ、主に使い捨てとして使用される。このため一回の食事が終われば、このフイルム片を取り替えるようにして使用する。したがって衛生的であり、所要の幅のフイルム片からなるだけであるから当然のことながら安価に提供することができる。
【００１６】
請求項３に係る食器皿によれば、前記掬い部片４は、皿本体３の周縁部２の上端縁２ｂに、その基端部４Ｂ１が一体形成された突片４Ｂからなるため、皿本体３が合成樹脂によって形成されておれば、掬い部片４も合成樹脂製として一体成形することができるから、それだけ手間なく容易に製作することができる。
【００１７】
請求項４に係る食器皿は、前記突片４Ｂの基端部４Ｂ１は湾曲して一体形成されることによって該湾曲基端部４Ｂ１の内周面４Ｂ２は上下に円弧状に形成されることになり、スプーンの丸みを帯びた外周面に押されて、皿本体３の浅底面部１の底面１ａ上の飲食物は、該浅底面部１の底面１ａに湾曲面状に連続する周縁部２の内周面２ｂから周縁部２の上端縁２ａに一体形成される突片４Ｂの掬い面４ａ側に集められることになるが、この際、周縁部２の内周面２ａと突片４Ｂの掬い面４ａとの間のコーナー部４ｂは上下に円弧状内周面４Ｂ２に形成されているため、該円弧状内周面４Ｂ２からなるコーナー部４ｂに集められた飲食物は該隅部に滞留することなく、該コーナー部４ｂを円滑に通過して、掬い部片４の掬い面４ａに集められ、この掬い面４ａに集められた飲食物は、これに近接したスプーンＳの縁に掻き取られて、スプーンＳの中央部の窪んだ掬い凹面Ｓａに掬い取られ、皿本体３上の飲食物は残り余すことなくスプーンＳに掬い取られて皿本体３上の飲食物を食べきることができる。
【００１８】
請求項５に係る食器皿によれば、前記掬い部片４は、皿本体３とは別体の突片４Ｃからなり、該別体の突片４Ｃは取付手段５によって皿本体３に取り付けられるため、皿本体３が瀬戸物で形成されており、掬い部片４が合成樹脂製のものであっても、取付手段５によって掬い部片４を皿本体３に取り付けることができるので、皿本体３又は掬い部片４の材質を自由に選ぶことができる。
【００１９】
請求項６に係る食器皿によれば、前記別体の突片４Ｃの基端部４Ｃ１が、前記周縁部２の上端縁２ｂの上部側で湾曲して形成されることによって該湾曲基端部４Ｃ１の内周面４Ｃ２は上下に円弧状に形成されることになり、スプーンの丸みを帯びた外周面に押されて、皿本体３の浅底面部１の底面１ａ上の飲食物は、該浅底面部１の底面１ａに湾曲面状に連続する周縁部２の内周面２ｂから周縁部２の上端縁２ｂに一体形成される突片４Ｃの掬い面４ａ側に集められることになるが、この際、周縁部２の内周面２ａと突片４Ｃの掬い面４ａとの間のコーナー部４ｂは上下に円弧状内周面４Ｃ２に形成されているため、該円弧状内周面４Ｃ２からなるコーナー部４ｂに集められた飲食物は該コーナー部４ｂに滞留することなく、該円弧状内周面４Ｃ２からなるコーナー部４ｂを円滑に通過して、掬い部片４の掬い面４ａに集められ、この掬い面４ａに集められた飲食物は、これに近接したスプーンＳの縁に掻き取られて、スプーンＳの中央部の窪んだ掬い凹面Ｓａに掬い取られ、皿本体３上の飲食物は残り余すことなくスプーンＳに掬い取られて皿本体３上の飲食物を食べきることができる。
【００２０】
請求項７に係る食器皿によれば、前記取付手段５は粘着層５Ａからなり、該粘着層５Ａによって別体の突片４Ｃは皿本体３の周縁部２の上端縁２ｂに取り付けられると共に、該粘着層５Ａを剥がすことによって皿本体３の周縁部２の上端縁２ｂから取り外し可能となっているため、掬い部片４を形成する別体の突片４Ｃを容易に且つ安価に皿本体３に取り付けることができ、又粘着層５Ａが劣化すれば該粘着層５Ａをこれが粘着される周縁部２の外周面２ｃから剥ぎ取り取り替えることによって、何回でも別体の突片４Ｃを皿本体３に取り付けることができ、長期にわたって使用することができる。
【００２１】
請求項８に係る食器皿によれば、前記取付手段５は、前記別体の突片４Ｃの基端部４Ｃ１に連結部５Ｂ１を介して一体形成される挟持片５Ｂからなり、該挟持片５Ｂが皿本体３とこれが載置されるテーブルとの間に挟持されることによって、前記別体の突片４Ｃが皿本体３の周縁部２の上端縁２ａに取り付けられるようになっているため、カレーライスや焼き飯を盛った食器皿は、一般にテーブルに置かれた状態で食することから、テーブルに置かれた食器皿とテーブルとの間に挟持片５Ｂを挟み込むだけで、皿本体３に掬い部片である別体の突片４Ｃを取り付けることができ、該突片４Ｃの皿本体３に対する取付操作が極めて容易であり、使い勝手が非常によい。
【００２２】
請求項９に係る食器皿によれば、前記連結部５Ｂ１の上下長さは皿本体３の上下幅に合わせて形成されてなるため、皿本体３の上下幅が替わっても、その上下長さに前記連結部５Ｂ１の長さを合わせば容易に対応することができる。
【００２３】
請求項１０に係る食器皿によれば、皿本体３に取り付けられる別体の突片４Ｃは取付手段５によって取り外し可能となっているため、一回の食事が終われば、その度に該突片４Ｃを使い捨てとすることによって衛生的である。この場合、該突片４Ｃは紙片や薄いフイルム片という安価なものを使用することが好ましい。
【図面の簡単な説明】
【００２４】
【図１】本考案に係る食器皿の使用状態を示す斜視図で、第１実施形態を示す。
【図２】（ａ）及び（ｂ）は同第１実施形態の使用行程を示す説明図である。
【図３】（ａ）は同第１実施形態の要部を示す斜視図、（ｂ）は同食器皿の斜視図である。
【図４】本考案の第２実施形態の使用状態を示す斜視図である。
【図５】（ａ）及び（ｂ）は第２実施形態の使用行程を示す説明図である。
【図６】本考案の第３実施形態の使用状態を示す斜視図である。
【図７】（ａ）、（ｂ）及び（ｃ）は同第３実施形態の使用行程を示す説明図である。
【図８】本考案の第４実施形態の使用状態を示す斜視図である。
【図９】（ａ）、（ｂ）及び（ｃ）は同第４実施形態の使用行程を示す説明図である。
【図１０】同第４実施形態の変形例を示す斜視図である。
【考案を実施するための形態】
【００２５】
以下に本考案の好適な実施形態を図面に基づいて説明すると、図１は、本考案に係る第１実施形態の食器皿を示すもので、該食器皿は、底面１ａが浅い浅底面部１で、周縁部２の内周面２ａが浅底面部１の底面１ａから湾曲面状に盛り上がった皿本体３からなる食器皿において、皿本体３の周縁部２の一部に浅底面部１に対面する掬い部片４を設け、該掬い部片４の掬い面４ａは前記周縁部２の内周面２ａに連続して形成されてなるもので、掬い部片４は、第１実施形態では、軟質の合成樹脂フイルム４Ａからなり、該フイルム４Ａは皿本体３の周縁部２の上端縁２ｂに皿本体３の周縁部２にナイフ状に緊張状態に対面して掬い部４Ａ１が張設され、その基端部４Ａ２が皿本体３の周縁部２の外周面２ｃに取り付ける。この際、軟質の薄いフイルム片４Ａは、その密着性を利用して、皿本体３の周縁部２の外周面２ｃに容易に密着状に取り付けることができ、これによって該合成樹脂フイルム４Ａが皿本体３の周縁部２の上端縁２ｂにナイフ状の掬い部４Ａ１が形成され、飲食物Ｃに対する良好な掬い部片４に形成することができる。この軟質の合成樹脂フイルム４Ａは、図３の（ａ）に示すように軟質の薄い、例えば厚さが数十μｍの縦横の幅が５〜１０ｃｍ程度の食品用ラップフィルム片からなり、このフィルム片４Ａは、図３の（ｂ）に示すように皿本体３の周縁部２の上端縁２ｂからナイフ状に張り出すように形成される掬い部４Ａ１と該掬い部４Ａ１を皿本体３の周縁部２の上端縁２ｂから外周面２ｃに沿って緊張状態に密着するようにした基端部４Ａ２によって何ら接着材とか粘着材を用いることなく取り付けられ、主に使い捨てとして使用される。このため一回の食事が終われば、このフイルム片を取り替えるようにして使用する。したがって衛生的であり、所要の幅のフイルム片からなるだけであるから当然ことながら安価に提供することができる。この軟質の合成樹脂フイルム４Ａとしては、食品用ラップフィルム（例えば、サランラップ（登録商標）、クレラップ（登録商標）等）が好ましい。この種の食品用ラップフィルムは、その厚さが十数μｍ程度で耐熱性・耐水性に富み、本考案に係る掬い部片４の材質として良好である。
【００２６】
この食器皿の皿本体３に盛られたカレーライスや焼き飯等の飲食物ＣをスプーンＳを用いて食する状態を、図２によって説明すると、まず図２の（ａ）に示すように、皿本体３上の残り少なくなった飲食物ＣはスプーンＳの丸みを帯びた外周面に押されて、皿本体３の浅底面部１の底面１ａ上の飲食物は、該浅底面部１の底面１ａに湾曲面状に連続する周縁部２の内周面２ａ側のコーナー部４ｂに集められ、該コーナー部４ｂに集められた飲食物が更に押し込まれることによって、図２の（ｂ）に示すように、皿本体３の周縁部２の内周面２ａに連続する掬い部片４の掬い面４ａに集められ、この掬い面４ａに集められた飲食物は、これに近接したスプーンＳの縁に掻き取られて、スプーンＳの中央部の窪んだ掬い凹面Ｓａに掬い取られ、皿本体３上の飲食物は残り余すことなくスプーンＳに掬い取られて皿本体３上の飲食物Ｃを食べきることができる。
【００２７】
図４及び図５は、本考案に係る食器皿の第２実施形態を示すもので、前記掬い部片４は、皿本体３の周縁部２の上端縁２ｂに、その基端部４Ｂ１が一体形成された突片４Ｂからなるもので、皿本体３が合成樹脂によって形成されておれば、掬い部片４も合成樹脂製として一体成形することができるから、それだけ手間なく容易に製作することができる。
【００２８】
この第２実施形態に係る食器皿によれば、前記突片４Ｂの基端部４Ｂ１は湾曲して一体形成されることによって、図５に示すように、該湾曲基端部４Ｂ１の内周面４Ｂ２は円弧状に形成されることになり、スプーンの丸みを帯びた外周面に押されて、皿本体３の浅底面部１の底面１ａ上の飲食物は、該浅底面部１の底面１ａに湾曲面状に連続する周縁部２の内周面２ｂから周縁部２の上端縁２ａに一体形成される突片４Ｂの掬い面４ａ側に集められることになるが、この際、周縁部２の内周面２ａと突片４Ｂの掬い面４ａとの間のコーナー部４ｂは上下に円弧状内周面４Ｂ２に形成されているため、該円弧状内周面４Ｂ２からなるコーナー部４ｂに集められた飲食物は該隅部に滞留することなく、該コーナー部４ｂを円滑に通過して、掬い部片４の掬い面４ａに集められ、この掬い面４ａに集められた飲食物は、これに近接したスプーンＳの縁に掻き取られて、スプーンＳの中央部の窪んだ掬い凹面Ｓａに掬い取られ、皿本体３上の飲食物は残り余すことなくスプーンＳに掬い取られて皿本体３上の飲食物Ｃを皿本体３に残すことなく、綺麗に掬い取ることができる。
【００２９】
図６〜図７は、本考案に係る食器皿の第３実施形態を示すもので、前記掬い部片４は、皿本体３とは別体の突片４Ｃからなり、該別体の突片４Ｃは取付手段５によって皿本体３に取り付けられてなるものである。この実施形態によれば、皿本体３が瀬戸物で形成されており、掬い部片４が合成樹脂製のものであっても、取付手段５によって掬い部片４を皿本体３に取り付けることができるので、皿本体３又は掬い部片４の材質を自由に選ぶことができる。この第３実施形態における取付手段５としては粘着層５Ａからなる。この粘着層５Ａは粘着テープでもよく、或いは粘着材を直接に皿本体３に貼着形成するものでもよい。
【００３０】
図６に示すように、この掬い部片４を形成する突片４Ｃは、合成趣旨や木材や瀬戸物或いはステンレス金属等の保形材料からなるもので、その基端部４Ｃ１から周縁部２の外周面２ｃに延びる取付片部４Ｃ３に取付手段５である粘着テープ等の粘着層５Ａを設け、これを周縁部２の外周面２ｃに粘着することによって、突片４Ｃを皿本体３の周縁部２の上端縁２ｂから周縁部２に対面するように突設するようにしてなる。
【００３１】
そして、図７の（ａ）に示すように、皿本体３上の残り少なくなった飲食物ＣはスプーンＳの丸みを帯びた外周面に押されて、皿本体３の浅底面部１の底面１ａ上の飲食物は、該浅底面部１の底面１ａに湾曲面状に連続する周縁部２の内周面２ａ側のコーナー部４ｂに集められ、該コーナー部４ｂに集められた飲食物が更に押し込まれることによって、図７の（ｂ）に示すように、皿本体３の周縁部２の内周面２ａに連続する掬い部片４である突片４Ｃの掬い面４ａに集められ、この掬い面４ａに集められた飲食物は、これに近接したスプーンＳの縁に掻き取られて、スプーンＳの中央部の窪んだ掬い凹面Ｓａに掬い取られ、皿本体３上の飲食物は残り余すことなくスプーンＳに掬い取られて皿本体３上の飲食物Ｃを食べきることができる。
【００３２】
そして、図７の（ｃ）に示すように、前記別体の突片４Ｃの基端部４Ｃ１が、前記周縁部２の上端縁２ｂの上部側で湾曲して形成されることによって該湾曲基端部４Ｃ１の内周面４Ｃ２は円弧状に形成されることになり、スプーンの丸みを帯びた外周面に押されて、皿本体３の浅底面部１の底面１ａ上の飲食物は、該浅底面部１の底面１ａに湾曲面状に連続する周縁部２の内周面２ｂから周縁部２の上端縁２ｂに一体形成される突片４Ｃの掬い面４ａ側に集められることになるが、この際、周縁部２の内周面２ａと突片４Ｃの掬い面４ａとの間のコーナー部４ｂは上下に円弧状内周面４Ｃ２に形成されているため、該円弧状内周面４Ｃ２からなるコーナー部４ｂに集められた飲食物は該コーナー部４ｂに滞留することなく、該円弧状内周面４Ｃ２からなるコーナー部４ｂを円滑に通過して、掬い部片４の掬い面４ａに集められ、この掬い面４ａに集められた飲食物は、これに近接したスプーンＳの縁に掻き取られて、スプーンＳの中央部の窪んだ掬い凹面Ｓａに掬い取られ、皿本体３上の飲食物は残り余すことなくスプーンＳに掬い取られて皿本体３上の飲食物を食べきることができる。
【００３３】
この第３実施形態によれば、突片４Ｃの基端部４Ｃ１の取付片部４Ｃ３に設けた取付手段５である粘着テープ等の粘着層５Ａを周縁部２の外周面２ｃに粘着することによって、別体の突片４Ｃは皿本体３の周縁部２の上端縁２ｂに取り付けられると共に、該粘着層５Ａを周縁部２の外周面２ｃから剥がすことができるから、粘着層５Ａが劣化すれば該粘着層５Ａをこれが粘着される周縁部２の外周面２ｃから剥ぎ取り取り替えることによって、何回でも別体の突片４Ｃを皿本体３に取り付けることができ、長期にわたって使用することができる。
【００３４】
図８〜図１０は、本考案に係る食器皿の第４実施形態を示すもので、第３実施形態と同じように、前記掬い部片４は、皿本体３とは別体の突片４Ｃからなり、該別体の突片４Ｃは取付手段５によって皿本体３に取り付けられてなるものである。この実施形態によれば、皿本体３が瀬戸物で形成されており、掬い部片４が合成樹脂製のものであっても、取付手段５によって掬い部片４を皿本体３に取り付けることができるので、皿本体３又は掬い部片４の材質を自由に選ぶことができる。
【００３５】
この第４実施形態における取付手段５としては、図９又は図１０に示すように、前記別体の突片４Ｃの基端部４Ｃ１に連結部５Ｂ１を介して一体形成される挟持片５Ｂからなり、該挟持片５Ｂが皿本体３とこれが載置されるテーブルとの間に挟持されることによって、前記別体の突片４Ｃが皿本体３の周縁部２の上端縁２ａに取り付けられるようになっている。一般に、カレーライスや焼き飯を盛った食器皿は、テーブルに置かれた状態で食することから、テーブルに置かれた食器皿とテーブルとの間に挟持片５Ｂを挟み込むだけで、皿本体３に掬い部片である別体の突片４Ｃを取り付けることができ、該突片４Ｃの皿本体３に対する取付操作が極めて容易であり、使い勝手が非常によい。
【００３６】
又、この実施形態によれば、前記連結部５Ｂ１の上下長さは皿本体３の上下幅に合わせて形成されてなるため、皿本体３の上下幅が替わっても、その上下長さに前記連結部５Ｂ１の長さを合わせば容易に対応することができる。
【００３７】
そしてこの実施形態にあっても、図９の（ａ）に示すように、皿本体３上の残り少なくなった飲食物ＣはスプーンＳの丸みを帯びた外周面に押されて、皿本体３の浅底面部１の底面１ａ上の飲食物は、該浅底面部１の底面１ａに湾曲面状に連続する周縁部２の内周面２ａ側のコーナー部４ｂに集められ、該コーナー部４ｂに集められた飲食物が更に押し込まれることによって、図９の（ｂ）に示すように、皿本体３の周縁部２の内周面２ａに連続する掬い部片４である突片４Ｃの掬い面４ａに集められ、この掬い面４ａに集められた飲食物は、これに近接したスプーンＳの縁に掻き取られて、スプーンＳの中央部の窪んだ掬い凹面Ｓａに掬い取られ、皿本体３上の飲食物は残り余すことなくスプーンＳに掬い取られて皿本体３上の飲食物Ｃを食べきることができる。
【００３８】
そして、図９の（ｃ）に示すように、前記別体の突片４Ｃの基端部４Ｃ１が、前記周縁部２の上端縁２ｂの上部側で湾曲して形成されることによって該湾曲基端部４Ｃ１の内周面４Ｃ２は上下に円弧状に形成されることになり、スプーンの丸みを帯びた外周面に押されて、皿本体３の浅底面部１の底面１ａ上の飲食物は、該浅底面部１の底面１ａに湾曲面状に連続する周縁部２の内周面２ｂから周縁部２の上端縁２ｂに一体形成される突片４Ｃの掬い面４ａ側に集められることになるが、この際、周縁部２の内周面２ａと突片４Ｃの掬い面４ａとの間のコーナー部４ｂは上下に円弧状内周面４Ｃ２に形成されているため、該円弧状内周面４Ｃ２からなるコーナー部４ｂに集められた飲食物は該コーナー部４ｂに滞留することなく、該円弧状内周面４Ｃ２からなるコーナー部４ｂを円滑に通過して、掬い部片４の掬い面４ａに集められ、この掬い面４ａに集められた飲食物は、これに近接したスプーンＳの縁に掻き取られて、スプーンＳの中央部の窪んだ掬い凹面Ｓａに掬い取られ、皿本体３上の飲食物は残り余すことなくスプーンＳに掬い取られて皿本体３上の飲食物を食べきることができる。
【符号の説明】
【００３９】
１      浅底面部
１ａ    底面
２      周縁部
２ａ    内周面
２ｂ    上端縁
２ｃ    外周面
３      皿本体
４      掬い部片
４ａ    掬い面
４Ａ    軟質の合成樹脂フイルム
４Ｂ    突片
４Ｂ１  基端部
４Ｂ２  内周面
４Ｃ    突片
４Ｃ１  基端部
４Ｃ２  内周面
５      取付手段
５Ａ    粘着層
５Ｂ    挟持片
５Ｂ１  連結部
【図１】
0003212408.tif 000003
【図２】
0003212408.tif 000004
【図３】
0003212408.tif 000005
【図４】
0003212408.tif 000006
【図５】
0003212408.tif 000007
【図６】
0003212408.tif 000008
【図７】
0003212408.tif 000009
【図８】
0003212408.tif 000010
【図９】
0003212408.tif 000011
【図１０】
0003212408.tif 000012